(57)【要約】【課題】簡単な構成で効率よくイオン交換部を再生させる浄水器を提供する。【解決手段】浄水器１は、主通水路１０１と、イオン交換樹脂１１３と、洗浄専用タンク３０１と、循環通水路３２０と、ポンプ１５０と、制御部１３１と、を備えている。洗浄専用タンク３０１は、イオン交換樹脂１１３を再生するための食塩を含む水を貯める。制御部１３１は、洗浄専用タンク３０１に貯められる食塩を含む水を、洗浄専用タンク３０１と循環通水路３２０との間で循環させるようにポンプ１５０を制御するように構成されている。【選択図】図１
2011224467.tif 000002
【特許請求の範囲】
【請求項１】
水を流通させるための主通水路と、
前記主通水路に配置されて前記主通水路を流通する水をイオン交換するイオン交換部と、
前記イオン交換部を再生するための食塩を含む水を貯め、水が流出する流出口と水が流入する流入口とを有する貯水部と、
前記流入口と前記流出口とを接続する循環通水路と、
前記貯水部に貯められる水を前記貯水部の前記流出口から前記循環通水路に流出させ且つ前記循環通水路から前記貯水部の前記流入口に流入させる送水部と、
前記貯水部に貯められる食塩を含む水を前記貯水部と前記循環通水路との間で循環させる循環行程を行うように前記送水部を制御する制御部と、
を備えた、浄水器。
【請求項２】
前記循環通水路と前記イオン交換部とを接続するイオン交換部再生用通水路を備え、
前記送水部は、前記循環行程で前記貯水部と前記循環通水路との間で循環した水を前記イオン交換部再生用通水路を介して前記イオン交換部に送出する再生送水部を有し、
前記制御部は、前記循環行程で前記貯水部と前記循環通水路との間で循環した食塩を含む水を前記送水部が前記イオン交換部に供給するイオン交換部再生行程を行うように、前記送水部を制御するように構成されている、
請求項１に記載の浄水器。
【請求項３】
前記制御部は、当該浄水器が使用されない時間帯において、前記イオン交換部再生行程を行うように前記送水部を制御するように構成されている、
請求項２に記載の浄水器。
【請求項４】
前記主通水路に配置されて原水を通過させて浄水にする濾材を備え、
前記制御部は、前記濾材の使用可能な期間の残余が所定の値以下であるかどうかの判断を行い、前記濾材の使用可能な期間の残余が所定の値以下であって当該浄水器が使用されない時間帯において、前記イオン交換部再生行程を行うように前記送水部を制御するように構成されている、
請求項２に記載の浄水器。
【請求項５】
前記濾材を通過する水量を検知する水量検知部を備え、
前記制御部は、前記水量検知部によって検知される水量の積算値に基づいて、前記濾材の使用可能な期間の残余が所定の値以下であるかどうかの判断をするように構成されている、
請求項４に記載の浄水器。
【請求項６】
前記制御部は、前記水量検知部によって検知される水量の積算値と、前記水量検知部によって検知される水量の１日当たりの平均値とに基づいて、前記濾材の使用可能な期間の残余を算出するように構成されている、請求項５に記載の浄水器。
【請求項７】
前記濾材の原水側の水圧、または、前記濾材の原水側の水圧と濾過水側の水圧との差圧を検知する水圧検知部を備え、
前記制御部は、前記水圧検知部によって検知される圧力または差圧に基づいて、前記濾材の使用可能な期間の残余が所定の値以下であるかどうかの判断をするように構成されている、
請求項４に記載の浄水器。
【請求項８】
前記制御部は、前記水圧検知部によって検知される圧力または差圧と、前記水圧検知部によって検知される水圧または差圧の１日当たりの平均値とに基づいて、前記濾材の使用可能な期間の残余を算出するように構成されている、請求項７に記載の浄水器。
【請求項９】
前記濾材の濾過水の濁度を検知する濁度検知部を備え、
前記制御部は、前記濁度検知部によって検知される濁度に基づいて、前記濾材の使用可能な期間の残余が所定の値以下であるかどうかの判断をするように構成されている、
請求項４に記載の浄水器。
【請求項１０】
前記制御部は、前記濁度検知部によって検知される濁度と、前記濁度検知部によって検知される濁度の１日当たりの平均値とに基づいて、前記濾材の使用可能な期間の残余を算出するように構成されている、請求項９に記載の浄水器。
【請求項１１】
当該浄水器の周囲の照度を検知する照度検知部を備え、
前記制御部は、前記照度検知部によって検知される照度が所定の値よりも小さい場合に、当該浄水器が使用されない時間帯であると判断するように構成されている、
請求項３から請求項１０までのいずれか１項に記載の浄水器。
【請求項１２】
時刻を検知する時計部を備え、
前記制御部は、前記時計部によって検知される時刻が所定の範囲内である場合に、当該浄水器が使用されない時間帯であると判断するように構成されている、
請求項３から請求項１０までのいずれか１項に記載の浄水器。
【請求項１３】
当該浄水器の周囲の温度を検知する温度検知部を備え、
前記制御部は、前記温度検知部によって検知される温度が所定の値よりも小さい場合に、当該浄水器が使用されない時間帯であると判断するように構成されている、
請求項３から請求項１０までのいずれか１項に記載の浄水器。
【請求項１４】
当該浄水器の周囲の人を検知する人検知部を備え、
前記制御部は、前記人検知部によって人が検知されない場合に、当該浄水器が使用されない時間帯であると判断するように構成されている、
請求項３から請求項１０までのいずれか１項に記載の浄水器。
【発明の詳細な説明】
【技術分野】
【０００１】
この発明は、一般的には浄水器に関し、特定的には、水をイオン交換するためのイオン交換部を備える浄水器に関する。
【背景技術】
【０００２】
従来、浄水器には、水をイオン交換するためのイオン交換部を備えるものがある。イオン交換部としてはイオン交換体、主に、イオン交換樹脂が用いられる。浄水器において水をイオン交換することによって、硬水を軟化させ、浄水器の通水路内にスケールが析出することを防ぐことができる。
【０００３】
硬水をイオン交換することによって、イオン交換部にはカルシウムなどの硬度成分が付着する。イオン交換部への硬度成分の付着量がある程度よりも多くなると、イオン交換部は水を軟水化することができなくなる。しかし、イオン交換部に食塩水を流通させることによって、イオン交換部を再生して、再度使用可能にさせることができる。
【０００４】
例えば、特開平９−４７７６１号公報（特許文献１）には、浄水器のイオン交換樹脂に食塩水を通液して、飽和したＮＯ3イオンをＣｌイオンと交換させることが記載されている。食塩水としては、市販の食塩水を用いたり、食塩と水を用いて溶解器を配設して食塩水を製造したりすることが記載されている。
【０００５】
特開平１１−２２６５７１号公報（特許文献２）に記載の水処理装置では、使用者が、再生用水貯水部に所定量の食塩を投入した後、所定量の水が再生用水貯水部に流入される。再生用貯水部の水は、そのままの状態で放置された後、イオン交換樹脂カートリッジ内に注入される。
【０００６】
特開２００１−１４９７９９号公報（特許文献３）に記載の軟水器の再生管理装置は、塩水槽内の水への塩の溶解を促進させるために、散気管を備える。この軟水器の再生管理装置では、塩水槽の下部に沈降堆積している固形状の塩を、塩水槽内の水中への空気の散気によって舞いあがらせて溶解を促進させている。また、モータによるスクリュー撹拌やヒータ加熱を利用した滞留撹拌を使用することも可能であることが記載されている。
【０００７】
特開２００３−３１１２６６号公報（特許文献４）には、軟水器の樹脂筒上部のノズルからイオン交換樹脂に食塩水を注入することによって、再生型の小型軟水器とすることが記載されている。
【先行技術文献】
【特許文献】
【０００８】
【特許文献１】特開平９−４７７６１号公報
【特許文献２】特開平１１−２２６５７１号公報
【特許文献３】特開２００１−１４９７９９号公報
【特許文献４】特開２００３−３１１２６６号公報
【発明の概要】
【発明が解決しようとする課題】
【０００９】
しかしながら、イオン交換樹脂に供給される食塩水の濃度が均一でない場合には、イオン交換樹脂が十分に再生されなかったり、再生されるまでに長時間がかかったりする。
【００１０】
特開平９−４７７６１号公報（特許文献１）に記載の浄水器では、均一な濃度の食塩水を用いるためには、市販の食塩水を購入したり、溶解器を配設したりする必要がある。
【００１１】
特開平１１−２２６５７１号公報（特許文献２）に記載の水処理装置では、再生用貯水部の水が放置されている間に食塩が十分に水に溶解されなかったり、拡散されなかったりした場合には、食塩水の濃度が均一にならないまま、イオン交換樹脂に注入される。イオン交換樹脂に注入される食塩水の濃度が均一でなければ、再生用貯水部内の食塩水をすべてイオン交換樹脂に注入しても、イオン交換樹脂が十分に再生されない場合がある。
【００１２】
特開２００１−１４９７９９号公報（特許文献３）に記載の軟水器の再生管理装置では、食塩水を均一な濃度にするために、軟水器が通常備える部材の他に、散気管やモータ、スクリュー、ヒータなどが必要になり、イオン交換樹脂を再生させるための構成が複雑になる。
【００１３】
特開２００３−３１１２６６号公報（特許文献４）に記載の軟水器でも、食塩水の濃度が均一にならないまま、イオン交換樹脂に注入される場合がある。イオン交換樹脂に注入される食塩水の濃度が均一でなければ、再生用貯水部内の食塩水をすべてイオン交換樹脂に注入しても、イオン交換樹脂が十分に再生されない場合がある。
【００１４】
そこで、この発明の目的は、簡単な構成で、効率よくイオン交換部を再生させることが可能な浄水器を提供することである。
【課題を解決するための手段】
【００１５】
この発明に従った浄水器は、主通水路と、イオン交換部と、貯水部と、循環通水路と、送水部と、制御部とを備える。主通水路は、水を流通させるためのものである。イオン交換部は、主通水路に配置され、主通水路を流通する水をイオン交換するものである。貯水部は、イオン交換部を再生するための食塩を含む水を貯めるものであり、流出口と流入口とを有している。循環通水路は、貯水部の流出口と流入口とを接続するものである。送水部は、貯水部に貯められる水を貯水部から循環通水路に流出させ且つ循環通水路から貯水部に流入させるものである。制御部は、送水部を制御するものである。制御部は、貯水部に貯められる食塩を含む水を、貯水部と循環通水路との間で循環させる循環行程を行うように、送水部を制御するように構成されている。
【００１６】
このようにすることにより、貯水部に貯められる食塩を含む水が、貯水部と循環通水路との間で循環することによって、食塩が水中に撹拌し、溶解して、均一な濃度の食塩水が得ることができる。すなわち、イオン交換部を再生するために、散気管やスクリューなど、特別な部材を備えたり、使用者が食塩水をかき混ぜたり、市販の食塩水を購入したりする必要がない。したがって、簡単な構成で、効率よくイオン交換部を再生させることが可能な浄水器を提供することができる。
【００１７】
この発明に従った浄水器は、イオン交換部再生用通水路を備えていることが好ましい。イオン交換部再生用通水路は、循環通水路とイオン交換部とを接続する。送水部は、再生送水部を有している。再生送水部は、循環行程で貯水部と循環通水路との間で循環した水をイオン交換部再生用通水路を介してイオン交換部に送出する。制御部は、循環行程で貯水部と循環通水路との間で循環した食塩を含む水を送水部がイオン交換部に供給するイオン交換部再生行程を行うように、送水部を制御するように構成されていることが好ましい。
【００１８】
イオン交換部再生行程では、貯水部に貯められる食塩を含む水が貯水部と循環通水路との間で循環した後にイオン交換部に供給されることによって、イオン交換部を効率よく再生することができる。したがって、簡単な構成で、効率よくイオン交換部を再生させることが可能な浄水器を提供することができる。
【００１９】
この発明に従った浄水器は、当該浄水器が使用されない時間帯において、イオン交換部再生行程を行うように送水部を制御するように構成されていることが好ましい。これにより、使用者が浄水を使用したいときに当該浄水器を使用することができない状況を防ぐことができる。
【００２０】
この発明に従った浄水器は、主通水路に配置されて原水を通過させて浄水にする濾材を備えることが好ましい。制御部は、濾材の使用可能な期間の残余が所定の値以下であるかどうかの判断を行い、濾材の使用可能な期間の残余が所定の値以下であって当該浄水器が使用されない時間帯において、イオン交換部再生行程を行うように送水部を制御するように構成されていることが好ましい。
【００２１】
濾材の使用可能な期間の残余が０になった後は、浄水器は浄水を供給することができない。一方、イオン交換部再生行程にはある程度の時間がかかる。イオン交換部再生行程を行っている間も、浄水器は浄水を供給することができない。
【００２２】
そこで、制御部が使用可能な期間の残余が所定の値以下であるかどうかを判断し、濾材の使用可能な期間の残余が所定の値以下であって当該浄水器が使用されない時間帯において、イオン交換部再生行程を行うように送水部を制御することによって、使用者が浄水を使用したいときに使用できない状況になることを防ぐことができる。
【００２３】
この発明に従った浄水器は、濾材を通過する水量を検知する水量検知部を備えることが好ましい。制御部は、水量検知部によって検知される水量の積算値に基づいて、濾材の使用可能な期間の残余が所定の値以下であるかどうかの判断をするように構成されていることが好ましい。
【００２４】
このようにすることにより、濾材の使用可能な期間の残余が所定の値以下であるかどうかを簡単に判断することができる。
【００２５】
この発明に従った浄水器においては、制御部は、水量検知部によって検知される水量の積算値と、水量検知部によって検知される水量の１日当たりの平均値とに基づいて、濾材の使用可能な期間の残余を算出するように構成されていることが好ましい。
【００２６】
このようにすることにより、濾材の使用可能な期間の残余を簡単に算出することができる。
【００２７】
この発明に従った浄水器は、濾材の原水側の水圧、または、濾材の原水側の水圧と濾過水側の水圧との差圧を検知する水圧検知部を備えることが好ましい。制御部は、水圧検知部によって検知される圧力または差圧に基づいて、濾材の使用可能な期間の残余が所定の値以下であるかどうかの判断をするように構成されていることが好ましい。
【００２８】
このようにすることにより、濾材の使用可能な期間の残余が所定の値以下であるかどうかを簡単に判断することができる。
【００２９】
この発明に従った浄水器においては、制御部は、水圧検知部によって検知される圧力または差圧と、水圧検知部によって検知される水圧または差圧の１日当たりの平均値とに基づいて、濾材の使用可能な期間の残余を算出するように構成されていることが好ましい。
【００３０】
このようにすることにより、濾材の使用可能な期間の残余を簡単に算出することができる。
【００３１】
この発明に従った浄水器は、濾材の濾過水の濁度を検知する濁度検知部を備えることが好ましい。制御部は、濁度検知部によって検知される濁度に基づいて、濾材の使用可能な期間の残余が所定の値以下であるかどうかの判断をするように構成されていることが好ましい。
【００３２】
このようにすることにより、濾材の使用可能な期間の残余が所定の値以下であるかどうかを簡単に判断することができる。
【００３３】
この発明に従った浄水器においては、制御部は、濁度検知部によって検知される濁度と、濁度検知部によって検知される濁度の１日当たりの平均値とに基づいて、濾材の使用可能な期間の残余を算出するように構成されていることが好ましい。
【００３４】
このようにすることにより、濾材の使用可能な期間の残余を簡単に算出することができる。
【００３５】
この発明に従った浄水器は、当該浄水器の周囲の照度を検知する照度検知部を備えることが好ましい。制御部は、照度検知部によって検知される照度が所定の値よりも小さい場合に、当該浄水器が使用されない時間帯であると判断するように構成されていることが好ましい。
【００３６】
浄水器が使用されない時間帯は、例えば夜間であると考えられる。そこで、照度検知部を備えることにより、夜間であること、すなわち、浄水器が使用されない時間帯であることを容易に判断することができる。
【００３７】
この発明に従った浄水器は、時刻を検知する時計部を備えることが好ましい。制御部は、時計部によって検知される時刻が所定の範囲内である場合に、当該浄水器が使用されない時間帯であると判断するように構成されていることが好ましい。
【００３８】
このようにすることにより、夜間であること、すなわち、浄水器が使用されない時間帯であることを容易に判断することができる。
【００３９】
この発明に従った浄水器は、当該浄水器の周囲の温度を検知する温度検知部を備えることが好ましい。制御部は、温度検知部によって検知される温度が所定の値よりも小さい場合に、当該浄水器が使用されない時間帯であると判断するように構成されていることが好ましい。
【００４０】
このようにすることにより、夜間であること、すなわち、浄水器が使用されない時間帯であることを容易に判断することができる。
【００４１】
この発明に従った浄水器は、当該浄水器の周囲の人を検知する人検知部を備えることが好ましい。制御部は、人検知部によって人が検知されない場合に、当該浄水器が使用されない時間帯であると判断するように構成されていることが好ましい。
【００４２】
浄水器が使用されない時間帯は、例えば、夜間や、使用者が留守中であると考えられる。そこで、このようにすることにより、留守中であること、すなわち、浄水器が使用されない時間帯であることを容易に判断することができる。
【発明の効果】
【００４３】
以上のように、この発明によれば、簡単な構成で、効率よくイオン交換部を再生させることが可能な浄水器を提供することができる。
【図面の簡単な説明】
【００４４】
【図１】この発明の第１実施形態の浄水器の構成を模式的に示す図である。
【図２】この発明の第１実施形態の浄水器の制御関連の構成を示すブロック図である。
【図３】この発明の第１実施形態の浄水器におけるイオン交換部再生行程の制御処理を順に示すフローチャートである。
【図４】この発明の第１実施形態の浄水器における自動洗浄行程の制御処理を順に示すフローチャートである。
【図５】この発明の第１実施形態の浄水器における自動洗浄行程の別の例の制御処理を順に示すフローチャートである。
【図６】この発明の第１実施形態の浄水器における自動洗浄行程のまた別の例の制御処理を順に示すフローチャートである。
【図７】この発明の第１実施形態の浄水器における自動洗浄行程のさらに別の例の制御処理を順に示すフローチャートである。
【図８】この発明の第１実施形態の浄水器における自動洗浄行程のさらにまた別の例の制御処理を順に示すフローチャートである。
【図９】この発明の第１実施形態の浄水器における自動洗浄行程のさらにまた別の例の制御処理を順に示すフローチャートである。
【図１０】この発明の第２実施形態の浄水器の制御関連の構成を示すブロック図である。
【図１１】この発明の第２実施形態の浄水器における自動洗浄行程の制御処理を順に示すフローチャートである。
【図１２】この発明の第２実施形態の浄水器における自動洗浄行程の別の例の制御処理を順に示すフローチャートである。
【図１３】この発明の第２実施形態の浄水器における自動洗浄行程のまた別の例の制御処理を順に示すフローチャートである。
【図１４】この発明の第３実施形態の浄水器の制御関連の構成を示すブロック図である。
【図１５】この発明の第３実施形態の浄水器における自動洗浄行程の制御処理を順に示すフローチャートである。
【図１６】この発明の第３実施形態の浄水器における自動洗浄行程の別の例の制御処理を順に示すフローチャートである。
【図１７】この発明の第３実施形態の浄水器における自動洗浄行程のまた別の例の制御処理を順に示すフローチャートである。
【図１８】この発明の第４実施形態の浄水器の制御関連の構成を示すブロック図である。
【図１９】この発明の第４実施形態の浄水器における自動洗浄行程の制御処理を順に示すフローチャートである。
【図２０】この発明の第４実施形態の浄水器における自動洗浄行程の別の例の制御処理を順に示すフローチャートである。
【図２１】この発明の第４実施形態の浄水器における自動洗浄行程のまた別の例の制御処理を順に示すフローチャートである。
【発明を実施するための形態】
【００４５】
以下、この発明の実施の形態を図面に基づいて説明する。
【００４６】
（第１実施形態）
図１に示すように、第１実施形態の浄水器１は、主に、主通水路１０１と、主通水路１０１に配置されるプレフィルター１１１と活性炭１１２とイオン交換樹脂１１３と濾材としてマイクロフィルター１１４と、水量検知部として流量センサ１２１と水圧検知部として差圧センサ１２２と濁度検知部として濁度センサ１２３と、照度検知部として光／照度センサ１２４と、制御部１３１と、ポンプ１５０と、貯水部として洗浄専用タンク３０１と、濾材洗浄装置４００とを備える。制御部１３１は、後述するようにマイクロコンピュータの一部である。浄水器１は他に、加熱装置１４１や冷却装置１４２を備えていてもよい。
【００４７】
主通水路１０１は、水を流通させるためのものである。主通水路１０１には、浄水器１の外部から、水道水や井戸水、河川水などの原水が供給される。原水は、主通水路１０１内において、プレフィルター１１１、活性炭１１２、イオン交換樹脂１１３、マイクロフィルター１１４を順に通過して浄水にされ、浄水器１の外部に供給される。
【００４８】
プレフィルター１１１は、比較的、目の粗い不織布によって構成されている。プレフィルター１１１を通過する水は、プレフィルター１１１によって濾過されて、水中の比較的大きな不純物が取り除かれる。活性炭１１２は、水中の有機物を吸着して水から除去する。イオン交換樹脂１１３は、硬水をイオン交換して軟水にする。マイクロフィルター１１４は、比較的、目の細かい不織布によって構成されている。マイクロフィルター１１４は膜によって構成されていてもよい。水がマイクロフィルター１１４を通過することによって、細かい不純物も濾し取られる。マイクロフィルター１１４を通過した水は、浄水になる。
【００４９】
流量センサ１２１は、プレフィルター１１１を通過する水の瞬時流量を計測し、制御部１３１が含まれるマイクロコンピュータに信号を送信する。
【００５０】
差圧センサ１２２は、マイクロフィルター１１４の原水側の水圧と濾過水側の水圧との差圧を検知して、制御部１３１が含まれるマイクロコンピュータに信号を送信する。浄水器１は、差圧センサ１２２の代わりに、原水側の水圧を検知する水圧検知部を備えていてもよい。
【００５１】
濁度センサ１２３は、マイクロフィルター１１４を通過した水の濁度を検知して、制御部１３１が含まれるマイクロコンピュータに信号を送信する。濁度センサ１２３は、例えば、発光部と受光部とから構成されている。
【００５２】
光／照度センサ１２４は、浄水器１の周囲の照度を検知して制御部１３１が含まれるマイクロコンピュータに信号を送信する。
【００５３】
主通水路１０１においてイオン交換樹脂１１３とマイクロフィルター１１４との間には、イオン交換樹脂再生用通水路１０４の一方の端部が接続されている。イオン交換樹脂再生用通水路１０４の他方の端部は、濁度センサ１２３の下流側において主通水路１０１に接続されている。イオン交換樹脂再生用通水路１０４は、イオン交換部再生用通水路として機能する。後述する循環通水路３２０とイオン交換樹脂１１３とは、イオン交換樹脂再生用通水路１０４によって接続されている。
【００５４】
主通水路１０１においてマイクロフィルター１１４と濁度センサ１２３との間には、マイクロフィルター洗浄用通水路１０５の一方の端部が接続されている。マイクロフィルター洗浄用通水路１０５の他方の端部は、濁度センサ１２３の下流側において主通水路１０１に接続されている。
【００５５】
マイクロフィルター洗浄用通水路１０５には、濾材洗浄装置４００が配置されている。濾材洗浄装置４００は、マイクロフィルター洗浄用通水路１０５の外側に配置されるイオン発生装置を含む。濾材洗浄装置４００は、マイクロフィルター洗浄用通水路１０５内を流通する水中にマイクロバブルを発生させる。イオン発生装置は、正イオンとしてＨ+（Ｈ2Ｏ）m（ｍは任意の自然数）と負イオンとしてＯ2-（Ｈ2Ｏ）n（ｎは任意の自然数）とを発生させる。濾材洗浄装置４００によって発生させられるマイクロバブルには、イオン発生装置によって発生させられる上述の正負のイオンが加えられる。
【００５６】
濁度センサ１２３の下流側には、第１副通水路１０２と第２副通水路１０３とを介して洗浄専用タンク３０１が主通水路１０１に接続されている。洗浄専用タンク３０１の内部には、食塩を含む水が貯められる。第２副通水路１０３には、洗浄専用タンク３０１内の水を送出するためのポンプ１５０が配置されている。また、第２副通水路１０３は、イオン交換樹脂再生用通水路１０４とマイクロフィルター洗浄用通水路１０５に接続されている。すなわち、洗浄専用タンク３０１は、第２副通水路１０３を介して、イオン交換樹脂再生用通水路１０４とマイクロフィルター洗浄用通水路１０５とに接続されている。第１実施形態では、第１副通水路１０２と第２副通水路１０３と主通水路１０１の一部とによって循環通水路３２０が形成されている。ただし、循環通水路３２０は、この形態に限定されない。循環通水路３２０は、例えば主通水路１０１の一部を有していなくてもよい。この場合は、第１副通水路１０２と第２副通水路１０３とが主通水路１０１を介すことなく互いに接続されている。また、この場合は、主通水路１０１を流れる水は、例えば副通水路１０２または副通水路１０３を介すことなく洗浄専用タンク３０１に流入するものであってもよい。洗浄専用タンク３０１は、例えば主通水路１０１と副通水路１０２と副通水路１０３とを介すことなく、浄水器１の外部から水が供給されるものであってもよい。後述するように、循環通水路３２０が主通水路１０１の一部を有していない場合は、ポンプ１５０のみが駆動することにより、洗浄専用タンク３０１に貯められる水は、洗浄専用タンク３０１と循環通水路３２０との間で循環する。
【００５７】
図１に示すように、洗浄専用タンク３０１は、流出口３２１と流入口３２２とを有している。洗浄専用タンク３０１において、流出口３２１が配置される位置と流入口３２２が配置される位置とは、特に限定されない。また、流出口３２１の形状と流入口３２２の形状とは、特に限定されない。後述するように、洗浄専用タンク３０１に貯められる食塩を含む水が洗浄専用タンク３０１と循環通水路３２０との間で循環するときは、洗浄専用タンク３０１に貯められる水は流出口３２１から循環通水路３２０へ流出する。洗浄専用タンク３０１に貯められる食塩を含む水が洗浄専用タンク３０１と循環通水路３２０との間で循環するときは、循環通水路３２０の水は流入口３２２から洗浄専用タンク３０１に流入する。
【００５８】
洗浄専用タンク３０１には、洗浄専用タンク３０１の内部に使用者が食塩を供給するための食塩供給部３０２が形成されている。また、洗浄専用タンク３０１内の水位を検知するための水位センサ３０３が配置されている。水位センサ３０３は、洗浄専用タンク３０１内の水位を検知して制御部１３１が含まれるマイクロコンピュータに信号を送信する。
【００５９】
加熱装置１４１は、マイクロフィルター１１４によって濾過された浄水を加熱するためのものである。冷却装置１４２は、マイクロフィルター１１４によって濾過された浄水を冷却するためのものである。
【００６０】
主通水路１０１には、複数の弁が配置されている。これらの弁は、制御部１３１によって開閉を制御される。主通水路１０１において原水が供給される側の端部には、電磁弁Ａ２０１が配置されている。電磁弁Ａ２０１は、主通水路１０１内への原水の供給と供給停止とを切り換えるためのものである。
【００６１】
活性炭１１２とイオン交換樹脂１１３との間においては、第１の排水路１０６が主通水路１０１から分岐している。第１の排水路１０６には電磁弁Ｂ２０２が配置されている。電磁弁Ｂ２０２は、主通水路１０１内の水を第１の排水路１０６を通して浄水器１の外部に排出する排水と排水停止とを切り換えるためのものである。
【００６２】
主通水路１０１においてイオン交換樹脂再生用通水路１０４の上流側の端部とマイクロフィルター１１４との間には、電磁弁Ｃ２０３が配置されている。電磁弁Ｃ２０３とマイクロフィルター１１４との間において、主通水路１０１から第２の排水路１０７が分岐している。第２の排水路１０７には、電磁弁Ｄ２０４が配置されている。電磁弁Ｄ２０４は、主通水路１０１内の水を第２の排水路１０７を通して浄水器１の外部に排出する排水と排水停止とを切り換えるためのものである。
【００６３】
主通水路１０１において濁度センサ１２３と第１副通水路１０２の端部との間には、電磁弁Ｅ２０５が配置されている。また、第１副通水路１０２には、電磁弁Ｆ２０６が配置されている。電磁弁Ｆ２０６は、主通水路１０１から洗浄専用タンク３０１への水の供給と供給停止とを切り換えるためのものである。
【００６４】
主通水路１０１において第２副通水路１０３の端部の下流側では、主通水路１０１から第３の排水路１０８が分岐している。第３の排水路１０８には、電磁弁Ｇ２０７が配置されている。電磁弁Ｇ２０７は、主通水路１０１内の水を第３の排水路１０８を通して浄水器１の外部に排出する排水と排水停止とを切り換えるためのものである。第３の排水路１０８は、主通水路１０１側の端部と電磁弁Ｇ２０７との間で、さらに熱水供給路１０８ａと冷水供給路１０８ｂに分岐しており、熱水供給路１０８ａには電磁弁Ｋ２１１と加熱装置１４１が配置され、冷水供給路１０８ｂには電磁弁Ｌ２１２と冷却装置１４２が配置されている。
【００６５】
主通水路１０１において浄水が供給される側の端部には、電磁弁Ｈ２０８が配置されている。電磁弁Ｈ２０８は、主通水路１０１から浄水器１の外部への浄水の供給と供給停止とを切り換えるためのものである。
【００６６】
マイクロフィルター洗浄用通水路１０５には、電磁弁Ｉ２０９が配置されている。電磁弁Ｉ２０９は、マイクロフィルター洗浄用通水路１０５から濾材洗浄装置４００への洗浄専用タンク３０１内の水の供給と供給停止とを切り換えるためのものである。
【００６７】
イオン交換樹脂再生用通水路１０４には、電磁弁Ｊ２１０が配置されている。電磁弁Ｊ２１０は、イオン交換樹脂再生用通水路１０４からイオン交換樹脂１１３への洗浄専用タンク３０１内の水の供給と供給停止とを切り換えるためのものである。
【００６８】
主通水路１０１においては、活性炭１１２とイオン交換樹脂１１３との間に、逆止弁２１３が配置されている。
【００６９】
ポンプ１５０と電磁弁Ａ２０１と電磁弁Ｃ２０３と電磁弁Ｅ２０５と電磁弁Ｆ２０６と電磁弁Ｊ２１０は、送水部３３０の一例である。これらのうち、循環通水路３２０が主通水路１０１の一部を有していない場合は、少なくともポンプ１５０が駆動することにより、洗浄専用タンク３０１に貯められる水は洗浄専用タンク３０１と循環通水路３２０との間で循環する。第１実施形態において、制御部１３１は、洗浄専用タンク３０１に貯められる水を洗浄専用タンク３０１と循環通水路３２０との間で循環させるように、ポンプ１５０と電磁弁Ｆ２０６とを制御する。送水部３３０は、再生送水部３３１を有している。再生送水部３３１は、少なくとも電磁弁Ｆ２０６と電磁弁Ｊ２１０とによって形成されている。少なくともポンプ１５０と電磁弁Ｆ２０６と電磁弁Ｊ２１０とが駆動することにより、洗浄専用タンク３０１と循環通水路３２０との間で循環された水を、イオン交換樹脂再生用通水路１０４を介してイオン交換樹脂１１３に送出する。
【００７０】
図２に示すように、浄水器１は制御関連の構成として、流量センサ１２１と差圧センサ１２２と濁度センサ１２３と光／照度センサ１２４と水位センサ３０３と操作部１６０と、マイクロコンピュータ１３０と、電磁弁Ａ２０１と電磁弁Ｂ２０２と電磁弁Ｃ２０３と電磁弁Ｄ２０４と電磁弁Ｅ２０５と電磁弁Ｆ２０６と電磁弁Ｇ２０７と電磁弁Ｈ２０８と電磁弁Ｉ２０９と電磁弁Ｊ２１０と電磁弁Ｋ２１１と電磁弁Ｌ２１２と、ポンプ１５０と、加熱装置１４１と、冷却装置１４２と、濾材洗浄装置４００（図１）のイオン発生装置４１０とを含む。マイクロコンピュータ１３０は、制御部１３１と読み込み部１３２と記憶部１３３と計時部１３４とを含む。
【００７１】
流量センサ１２１は水量を検知して読み込み部１３２に信号を送信する。差圧センサ１２２はマイクロフィルター１１４の原水側の水圧と濾過水側の水圧との差圧を検知して読み込み部１３２に信号を送信する。濁度センサ１２３は濁度を検知して読み込み部１３２に信号を送信する。光／照度センサ１２４は浄水器１の周囲の照度を検知して読み込み部１３２に信号を送信する。水位センサ３０３は、洗浄専用タンク３０１内の水位を検知して読み込み部１３２に信号を送信する。
【００７２】
操作部１６０は、使用者が操作するためのスイッチやボタンを含むものである。操作部１６０には、イオン交換樹脂再生行程を開始させるスイッチが含まれる。操作部１６０を通して、使用者は、例えば、浄水器１が浄水を供給する浄水モードと、浄水器１が原水を浄化せずにそのまま供給する原水モードとを選択することができる。また使用者は、操作部１６０を操作することによって、例えば、浄水器１によって供給される浄水の温度を選択することができる。使用者はまた、操作部１６０を操作して、浄水器１のイオン交換樹脂１１３のイオン交換樹脂再生行程とマイクロフィルター１１４の洗浄行程とを自動的に行う自動洗浄モードを選択することができる。また、使用者は、操作部１６０を操作して、イオン交換樹脂再生行程とマイクロフィルター１１４の洗浄行程とを手動で行う手動洗浄モードを選択することができる。操作部１６０は、使用者によって操作されると、読み込み部１３２に信号を送信する。
【００７３】
読み込み部１３２は記憶部１３３と信号の送受信を行い、各部材から送信された信号を記憶部１３３に送信する。
【００７４】
記憶部１３３は、読み込み部１３２から送信された信号を記憶する。記憶部１３３はまた、制御部１３１と信号の送受信を行い、制御部１３１に信号を送信する。
【００７５】
制御部１３１は、受信した信号に基づいて、電磁弁Ａ２０１と電磁弁Ｂ２０２と電磁弁Ｃ２０３と電磁弁Ｄ２０４と電磁弁Ｅ２０５と電磁弁Ｆ２０６と電磁弁Ｇ２０７と電磁弁Ｈ２０８と電磁弁Ｉ２０９と電磁弁Ｊ２１０と電磁弁Ｋ２１１と電磁弁Ｌ２１２と、ポンプ１５０と、加熱装置１４１と、冷却装置１４２と、イオン発生装置４１０とを制御する。制御部１３１はまた、計時部１３４と信号の送受信を行う。
【００７６】
計時部１３４は、制御部１３１と信号の送受信を行い、時間を計測する。
【００７７】
以上のように構成された浄水器１の動作について説明する。まず、初期状態では、すべての電磁弁が閉じられている。
【００７８】
浄水を供給する場合には、まず、制御部１３１は、電磁弁Ａ２０１と電磁弁Ｃ２０３と電磁弁Ｅ２０５とを開けるように制御する。使用者が操作部１６０を操作して、常温の浄水を供給することが選択されている場合には、制御部１３１は、電磁弁Ｈ２０８を開けて、電磁弁Ｋ２１１と電磁弁Ｌ２１２とを閉じるように制御する。このようにすることにより、浄水器１から常温の浄水が供給される。
【００７９】
一方、使用者が操作部１６０を操作して、熱水の浄水を供給することが選択されている場合には、制御部１３１は、加熱装置１４１を駆動させるように制御し、電磁弁Ｈ２０８を閉じ、電磁弁Ｋ２１１を開け、電磁弁Ｌ２１２を閉じるように制御する。このようにすることにより、浄水器１から熱水の浄水が供給される。
【００８０】
また、使用者が操作部１６０を操作して、冷水の浄水を供給することが選択されている場合には、制御部１３１は、冷却装置１４２を駆動させるように制御し、電磁弁Ｈ２０８と電磁弁Ｋ２１１とを閉じ、電磁弁Ｌ２１２を開くように制御する。このようにすることにより、浄水器１から冷水の浄水が供給される。
【００８１】
次に、浄水器１のマイクロフィルター１１４の洗浄行程について説明する。
【００８２】
マイクロフィルター１１４の洗浄行程では、まず、すべての電磁弁が閉じられる。次に、制御部１３１は、電磁弁Ａ２０１、電磁弁Ｃ２０３、電磁弁Ｅ２０５、電磁弁Ｆ２０６を開くように制御する。このようにすることにより、浄水器１の外部から主通水路１０１内に流入した原水は、主通水路１０１と第１副通水路１０２とを通って洗浄専用タンク３０１内に貯められる。制御部１３１は、水位センサ３０３によって検知される水位に基づいて、洗浄専用タンク３０１内が満水になるまで、電磁弁Ａ２０１、電磁弁Ｃ２０３、電磁弁Ｅ２０５、電磁弁Ｆ２０６を開くように制御する。
【００８３】
次に、制御部１３１は、電磁弁Ａ２０１、電磁弁Ｃ２０３、電磁弁Ｅ２０５、電磁弁Ｆ２０６を閉じ、電磁弁Ｉ２０９と電磁弁Ｄ２０４とを開き、ポンプ１５０を駆動させるように制御する。このようにすることにより、洗浄専用タンク３０１内に満水に貯められた水は、マイクロフィルター洗浄用通水路１０５内を図１に矢印Ｃで示す方向に流通して、濾材洗浄装置４００に流れ込む。
【００８４】
濾材洗浄装置４００に流れ込んだ水には、濾材洗浄装置４００のイオン発生装置４１０によって加えられた正負のイオンを含むマイクロバブルが発生させられる。正負のイオンが加えられたマイクロバブルを含む水は、マイクロフィルター１１４を通過しながら、マイクロフィルター１１４を洗浄する。マイクロフィルター１１４を洗浄した水は、電磁弁Ｄ２０４が配置される第２の排水路１０７を通って浄水器１の外部に排水される。
【００８５】
次に、イオン交換部再生行程としてイオン交換樹脂再生行程について説明する。
【００８６】
図３に示すように、ステップＳ１では、使用者が洗浄専用タンク３０１に、食塩供給部３０２を通して食塩を投入する。
【００８７】
ステップＳ２では、制御部１３１は、操作部１６０のイオン交換樹脂再生行程を開始するためのスイッチ（図示しない）がＯＮにされたかどうかを判断する。イオン交換樹脂再生行程を開始するためのスイッチがＯＮにされていれば、ステップＳ３に進む。イオン交換樹脂再生行程を開始するためのスイッチがＯＮにされていなければ、ステップＳ２に戻る。
【００８８】
ステップＳ３では、制御部１３１は、電磁弁Ａ２０１、電磁弁Ｃ２０３、電磁弁Ｅ２０５、電磁弁Ｆ２０６に制御信号を送信し、これらの電磁弁を開放するように制御する。このようにすることにより、浄水器１の外部から主通水路１０１に水が流入し、主通水路１０１に流入した水は洗浄専用タンク３０１内に貯められる。
【００８９】
ステップＳ４では、水位センサ３０３が洗浄専用タンク３０１内の水位を検知して制御部１３１が含まれるマイクロコンピュータ１３０に信号を送信する。
【００９０】
ステップＳ５では、制御部１３１は、水位センサ３０３から送信された信号に基づいて、洗浄専用タンク３０１が満水であるかどうかを判断する。洗浄専用タンク３０１が満水であればステップＳ６に進む。洗浄専用タンク３０１が満水でなければ、ステップＳ４に戻る。
【００９１】
ステップＳ６では、制御部１３１は、電磁弁Ａ２０１と電磁弁Ｃ２０３と電磁弁Ｅ２０５に制御信号を送信し、これらの電磁弁を閉じるように制御する。このようにすることにより、洗浄専用タンク３０１内には、新たに水が供給されなくなる。
【００９２】
ステップＳ７では、制御部１３１は、ポンプ１５０に制御信号を送信し、ポンプ１５０を駆動させる。このようにすることにより、食塩水の循環が開始される。食塩水は、図１に矢印Ａで示すように、洗浄専用タンク３０１、第２副通水路１０３、主通水路１０１の一部、第１副通水路１０２、および洗浄専用タンク３０１の順に循環する。
【００９３】
ステップＳ８では、制御部１３１は、洗浄専用タンク３０１内の食塩水の濃度を検知する。食塩水の濃度は、例えば、ポンプ１５０の駆動開始からの時間に基づいて検知されてもよい。また、洗浄専用タンク３０１に濃度検知器を配置して、制御部１３１が濃度検知器から信号を受信することによって食塩水の濃度を検知してもよい。
【００９４】
ステップＳ９では、制御部１３１は、洗浄専用タンク３０１内の食塩水の濃度が所定の濃度であるかどうかを判断する。所定の濃度とは、満水になった洗浄専用タンク３０１内の食塩水のすべてをイオン交換樹脂１１３に供給する場合に、イオン交換樹脂１１３を再生させることができる濃度である。例えば、ポンプ１５０の駆動開始からの経過時間に基づいて食塩水の濃度を検知する場合には、ポンプ１５０の駆動開始からの経過時間が所定の時間以上であるかどうかを判断する。洗浄専用タンク３０１内の食塩水の濃度が所定の濃度であれば、ステップＳ１０に進む。洗浄専用タンク３０１内の食塩水の濃度が所定の濃度でなければ、ステップＳ８に戻る。
【００９５】
ステップＳ１０では、食塩水の循環を終了させて、食塩水をイオン交換樹脂１１３に供給する。制御部１３１は、電磁弁Ｆ２０６を閉じて電磁弁Ｂ２０２と電磁弁Ｊ２１０とを開けるように制御する。このようにすることにより、洗浄専用タンク３０１内の食塩水は、図１に矢印Ｂで示す方向に流れて、イオン交換樹脂１１３に均一な濃度の食塩水が流入し、イオン交換樹脂１１３の再生が開始される。イオン交換樹脂１１３を通過した食塩水は、第１の排水路１０６を通って、浄水器１の外部に排出される。
【００９６】
ステップＳ１１では、水位センサ３０３が洗浄専用タンク３０１内の水量を検知して、制御部１３１が含まれるマイクロコンピュータ１３０に信号を送信する。
【００９７】
ステップＳ１２では、制御部１３１は、水位センサ３０３から送信された信号に基づいて、洗浄専用タンク３０１内が空であるかどうかを判断する。洗浄専用タンク３０１内が空であれば、ステップＳ１３に進む。洗浄専用タンク３０１内が空でなければ、ステップＳ１１に戻る。洗浄専用タンク３０１が空になれば、イオン交換樹脂の再生が終了したと判断される。
【００９８】
ステップＳ１３では、制御部１３１は、電磁弁Ｂ２０２と電磁弁Ｊ２１０に制御信号を送信して、これらの電磁弁を閉じるように制御する。
【００９９】
ステップＳ１４では、制御部１３１は、電磁弁Ａ２０１と電磁弁Ｃ２０３と電磁弁Ｅ２０５と電磁弁Ｇ２０７とに制御信号を送信して、これらの電磁弁を開くように制御する。このようにすることにより、イオン交換樹脂１１３の再生終了後のクリーニングが開始される。すなわち、主通水路１０１内には、浄水器１の外部から水が供給される。主通水路１０１内に供給された水は、第３の排水路１０８を通って、浄水器１の外部に排出される。このようにして、食塩水が通過した通水路内に食塩を含まない水を供給して、通水路のクリーニングを行う。クリーニングに用いられた水は、図１に矢印Ｄで示す方向に流れて浄水器１の外部に排出される。
【０１００】
ステップＳ１５では、制御部１３１は、クリーニング量を検知する。クリーニング量は、例えば、クリーニング開始からの経過時間に基づいて検知したり、流量センサ１２１が検知する水量に基づいて検知したりする。
【０１０１】
ステップＳ１６では、制御部１３１は、検知されたクリーニング量が所定の量であるかどうかを判断する。例えば、クリーニング量をクリーニング開始からの経過時間に基づいて検知する場合には、クリーニング開始からの経過時間が所定の時間以上であるかどうかを判断する。所定のクリーニング量は、通水路内の食塩水が十分に洗い流される量であるとする。クリーニング量が所定の量である場合には、ステップＳ１７に進む。クリーニング量が所定の量でない場合には、ステップＳ１５に戻る。
【０１０２】
ステップＳ１７では、制御部１３１は、電磁弁Ａ２０１と電磁弁Ｃ２０３と電磁弁Ｅ２０５と電磁弁Ｇ２０７とに制御信号を送信して、これらの電磁弁を閉じるように制御する。このようにして、イオン交換樹脂再生行程が終了する。
【０１０３】
以上のように、第１実施形態の浄水器１は、主通水路と、イオン交換樹脂１１３と、洗浄専用タンク３０１と、循環通水路３２０と、ポンプ１５０および電磁弁Ｆ２０６と、制御部１３１とを備える。主通水路１０１は、水を流通させる。イオン交換樹脂１１３は、水をイオン交換するものである。洗浄専用タンク３０１は、流出口３２１と流入口３２２とを有し、イオン交換樹脂１１３を再生するための食塩を含む水を貯めるものである。循環通水路３２０は、洗浄専用タンク３０１の流出口３２１と流入口３２２とを接続するものである。ポンプ１５０と電磁弁Ｆ２０６とは、洗浄専用タンク３０１に貯められる水を洗浄専用タンク３０１の流出口３２１から循環通水路３２０の流入口３２２に流出させ且つ循環通水路３２０から洗浄専用タンク３０１に流入させるものである。制御部１３１は、ポンプ１５０と電磁弁Ｆ２０６とを制御するものである。制御部１３１は、洗浄専用タンク３０１に貯められる食塩を含む水を洗浄専用タンク３０１と循環通水路３２０との間で循環させるようにポンプ１５０と電磁弁Ｆ２０６とを制御するように構成されている。ただし、ポンプ１５０のみの駆動により、洗浄専用タンク３０１に貯められる水を、洗浄専用タンク３０１と循環通水路３２０との間で循環させることも可能である。
【０１０４】
洗浄専用タンク３０１に貯められる食塩を含む水を、洗浄専用タンク３０１と循環通水路３２０との間で循環させることによって、食塩が水中に撹拌し、溶解して、均一な濃度の食塩水が得ることができる。そのため、イオン交換樹脂１１３を再生するために、散気管やスクリューなど、特別な部材を備えたり、使用者が食塩水をかき混ぜたり、市販の食塩水を購入したりする必要がない。
【０１０５】
このようにすることにより、簡単な構成で、効率よくイオン交換樹脂１１３を再生させることが可能な浄水器１を提供することができる。
【０１０６】
また、制御部１３１は、洗浄専用タンク３０１に貯められる食塩を含む水を、洗浄専用タンク３０１と循環通水路３２０との間で循環させた後にイオン交換樹脂１１３に供給するイオン交換樹脂再生行程を行うようにポンプ１５０と電磁弁Ｆ２０６と電磁弁Ｊ２１０とを制御するように構成されている。
【０１０７】
イオン交換樹脂再生行程では、洗浄専用タンク３０１に貯められる食塩を含む水を、洗浄専用タンク３０１と循環通水路３２０との間で循環させた後にイオン交換樹脂１１３に供給することによって、イオン交換樹脂１１３を効率よく再生することができる。
【０１０８】
次に、浄水器１の自動洗浄行程について説明する。
【０１０９】
図４に示すように、ステップＳ１０１では、制御部１３１は、自動洗浄モードが選択されているかどうかを判断する。自動洗浄モードが選択されていれば、ステップＳ１０２に進む。自動洗浄モードが選択されていなければ、ステップＳ１１１に進む。
【０１１０】
ステップＳ１０２では、制御部１３１は記憶部１３３と信号の送受信を行い、規定流量値を自動洗浄用の値に設定する。自動洗浄用の規定流量値は、例えば、マイクロフィルター１１４によって濾過することができる水量の積算値が２５００Ｌである場合には、２５００Ｌの８０％にあたる２０００Ｌに設定される。
【０１１１】
ステップＳ１０３では、流量センサ１２１が、マイクロフィルター１１４を流通する瞬時水量を検知して制御部１３１が含まれるマイクロコンピュータ１３０に信号を送信する。
【０１１２】
ステップＳ１０４では、制御部１３１は、流量センサ１２１から受信した信号に基づいて、積算流量を算出する。
【０１１３】
ステップＳ１０５では、制御部１３１は、積算流量値と規定流量値とを比較する。積算流量値と規定流量値とを比較することによって、制御部１３１は、マイクロフィルター１１４の使用可能な期間の残余が所定の値以下であるかどうかを判断することができる。
【０１１４】
積算流量値と規定流量値とを比較することによって、マイクロフィルター１１４が濾過することのできる水量の残量が求められる。マイクロフィルター１１４が濾過することのできる水量の残量が多ければ多いほど、マイクロフィルター１１４の使用可能な期間の残余が大きい。そこで、マイクロフィルター１１４が濾過することのできる水量の残量が所定の値以下であれば、すなわち、積算流量が規定流量値以上であれば、マイクロフィルター１１４の使用可能な期間の残余が所定の値以下であると判断することができる。
【０１１５】
ステップＳ１０６では、制御部１３１は、積算流量が規定流量値を超えたかどうかを判断する。積算流量が規定流量値を超えていれば、ステップＳ１０７に進む。積算流量が規定流量値を超えていなければ、ステップＳ１０３に戻る。例えば、規定流量値が２０００Ｌであり、積算流量が１０００Ｌである場合には、制御部１３１は、積算流量が規定流量値を超えていないと判断してステップＳ１０３に戻る。ただし、ステップＳ１０３とステップＳ１０４とステップＳ１０５とステップＳ１０６とは、省略されてもよい。
【０１１６】
ステップＳ１０７では、光／照度センサ１２４が光または照度を検知して制御部１３１が含まれるマイクロコンピュータ１３０に信号を送信する。
【０１１７】
ステップＳ１０８では、制御部１３１は、光／照度センサ１２４から受信した信号に基づいて、光／照度センサ１２４によって検知された光量または照度が、規定の光量または照度よりも小さいかどうかを判断する。光／照度センサ１２４によって検知された光量または照度が規定の光量または照度よりも小さければ、ステップＳ１０９に進む。光／照度センサ１２４によって検知された光量または照度が規定の光量または照度よりも小さくなければ、ステップＳ１０３に戻る。
【０１１８】
ステップＳ１０９では、制御部１３１は、浄水が供給されていないかどうかを判断する。制御部１３１は、例えば、流量センサ１２１によって水量が検知されていない場合に、浄水が供給されていないと判断する。浄水が供給されていなければ、ステップＳ１１０に進む。浄水が供給されていれば、ステップＳ１０３に戻る。
【０１１９】
ステップＳ１１０では、制御部１３１は、自動洗浄行程を開始する。自動洗浄行程では、制御部１３１は、上述のマイクロフィルター１１４の洗浄行程とイオン交換樹脂再生行程とを行うように、電磁弁など浄水器１の各部材を制御する。
【０１２０】
光／照度センサ１２４によって検知された光量または照度が規定の光量または照度よりも小さければ、夜間であると判断される。このように、浄水器１の自動洗浄モードでは、使用者が浄水器１を使用する可能性が低い夜間に、マイクロフィルター１１４の洗浄行程とイオン交換樹脂再生行程とが行われる。
【０１２１】
ステップＳ１１１では、制御部１３１は、規定流量値を手動洗浄用の値に設定する。手動洗浄用の値は、例えば、マイクロフィルター１１４によって濾過することができる水量の積算値が２５００Ｌである場合には、２５００Ｌに設定される。
【０１２２】
手動洗浄モードが選択されている場合には、制御部１３１は、積算流量値が２５００Ｌ以上になったときに、例えば報知部（図示しない）を制御して、使用者にイオン交換樹脂１１３の再生とマイクロフィルター１１４の洗浄が必要であることを報知することができる。
【０１２３】
以上のように、浄水器１は、主通水路１０１に配置されて原水を通過させて浄水にするマイクロフィルター１１４を備える。制御部１３１は、マイクロフィルター１１４の使用可能な期間の残余が所定の値以下であるかどうかを判断し、マイクロフィルター１１４の使用可能な期間の残余が所定の値以下であって当該浄水器１が使用されない時間帯において、イオン交換樹脂再生行程を行うようにポンプ１５０と電磁弁Ａ２０１と電磁弁Ｃ２０３と電磁弁Ｅ２０５と電磁弁Ｆ２０６と電磁弁Ｊ２１０を制御するように構成されている。ただし、制御部１３１は、浄水器１が使用されない時間帯において、イオン交換樹脂再生行程を行うようにポンプ１５０と電磁弁Ａ２０１と電磁弁Ｃ２０３と電磁弁Ｅ２０５と電磁弁Ｆ２０６と電磁弁Ｊ２１０を制御するように構成されていてもよい。
【０１２４】
マイクロフィルター１１４の使用可能な期間の残余が０になった後は、浄水器１は浄水を供給することができない。一方、イオン交換樹脂再生行程にはある程度の時間がかかる。イオン交換樹脂再生行程を行っている間も、浄水器１は浄水を供給することができない。
【０１２５】
そこで、制御部１３１がマイクロフィルター１１４の使用可能な期間の残余が所定の値以下であるかどうかを判断し、マイクロフィルター１１４の使用可能な期間の残余が所定の値以下であって当該浄水器１が使用されない時間帯において、イオン交換樹脂再生行程を行うようにポンプ１５０と電磁弁Ａ２０１と電磁弁Ｃ２０３と電磁弁Ｅ２０５と電磁弁Ｆ２０６と電磁弁Ｊ２１０を制御することによって、使用者が浄水を使用したいときに使用できない状況になることを防ぐことができる。ただし、イオン交換樹脂再生行程は、当該浄水器１が使用されない時間帯において行われるものであってもよい。これにより、使用者が浄水を使用したいときに浄水器１を使用することができない状況を防ぐことができる。
【０１２６】
また、浄水器１は、マイクロフィルター１１４を通過する水量を検知する流量センサ１２１を備える。制御部１３１は、流量センサ１２１によって検知される水量の積算値に基づいて、マイクロフィルター１１４の使用可能な期間の残余が所定の値以下であるかどうかを判断するように構成されている。
【０１２７】
このようにすることにより、マイクロフィルター１１４の使用可能な期間の残余が所定の値以下であるかどうかを簡単に判断することができる。
【０１２８】
また、浄水器１は、当該浄水器１の周囲の照度を検知する光／照度センサ１２４を備える。制御部１３１は、光／照度センサ１２４によって検知される照度が所定の値よりも小さい場合に、当該浄水器１が使用されない時間帯であると判断するように構成されている。
【０１２９】
浄水器１が使用されない時間帯は、例えば夜間であると考えられる。そこで、このようにすることにより、夜間であること、すなわち、浄水器１が使用されない時間帯であることを容易に判断することができる。
【０１３０】
次に、浄水器１の自動洗浄行程の別の例について説明する。
【０１３１】
図５に示す自動洗浄行程では、図４に示す自動洗浄行程と同様に、ステップＳ１０１からステップＳ１０４が行われる。しかし、図５に示す自動洗浄行程では、図４に示す自動洗浄行程とは異なり、ステップＳ１０４からステップＳ１０５に進む代わりに、ステップＳ１０４からステップＳ２０１に進む。
【０１３２】
ステップＳ２０１では、制御部１３１は、記憶部１３３と計時部１３４と制御信号の送受信を行い、積算流量値の１日当たりの平均値を求める。その後、ステップＳ１０５に進む。
【０１３３】
ステップＳ１０５では、制御部１３１は、積算流量値と規定流量値とを比較する。その後、ステップＳ２０２に進む。
【０１３４】
ステップＳ２０２では、制御部１３１は、ステップＳ２０１で求められた積算流量値の１日当たりの平均値と、ステップＳ１０５で比較された積算流量値と規定流量値との差とに基づいて、規定流量値に達するまでの予定日数を算出する。その後、ステップＳ２０３に進む。規定流量値に達するまでの予定日数は、マイクロフィルター１１４の使用可能な期間の残余である。
【０１３５】
ステップＳ２０３では、制御部１３１は、ステップＳ２０２で算出された予定日数が、所定の日数よりも少ないかどうかを判断する。所定の日数は、例えば、１日であってもよい。その後、ステップＳ１０７に進む。
【０１３６】
ステップＳ１０７からステップＳ１１１は、図４に示す自動洗浄行程と同様である。
【０１３７】
以上のように、浄水器１においては、制御部１３１は、流量センサ１２１によって検知される水量の積算値と、流量センサ１２１によって検知される水量の１日当たりの平均値とに基づいて、マイクロフィルター１１４の使用可能な期間の残余を算出するように構成されている。
【０１３８】
このようにすることにより、マイクロフィルター１１４の使用可能な期間の残余を簡単に算出することができる。
【０１３９】
次に、浄水器１の自動洗浄行程の別の例について説明する。この自動洗浄行程では、制御部１３１は、差圧センサ１２２によって検知される差圧に基づいて、マイクロフィルター１１４の使用可能な期間の残余が所定の値以下であるかどうかを判断する。
【０１４０】
図６に示す自動洗浄行程では、図４に示す自動洗浄行程と同様に、ステップＳ１０１が行われる。ステップＳ１０１では、制御部１３１は、自動洗浄モードが選択されているかどうかを判断する。自動洗浄モードが選択されていれば、図４に示す自動洗浄行程とは異なり、ステップＳ３０２に進む。自動洗浄モードが選択されていなければ、図４に示す自動洗浄行程とは異なり、ステップＳ３１１に進む。
【０１４１】
ステップＳ３０２では、制御部１３１は記憶部１３３と信号の送受信を行い、規定圧損値を自動洗浄用の値に設定する。自動洗浄用の規定圧損値は、例えば、マイクロフィルター１１４によって原水を濾過することができなくなる圧損の値が１２．５ｐｓｉである場合には、１２．５ｐｓｉの８０％にあたる１０ｐｓｉに設定される。その後、ステップＳ３０３に進む。
【０１４２】
ステップＳ３０３では、差圧センサ１２２が、マイクロフィルター１１４の原水側の水圧と濾過水側の水圧との差圧を検知して制御部１３１が含まれるマイクロコンピュータ１３０に信号を送信する。その後、ステップＳ３０４に進む。
【０１４３】
ステップＳ３０４では、制御部１３１は、ステップＳ３０３で検知された差圧に基づいて、マイクロフィルター１１４の圧損を算出する。その後、ステップＳ３０５に進む。
【０１４４】
ステップＳ３０５では、制御部１３１は、圧損値と規定圧損値とを比較する。圧損値と規定圧損値とを比較することによって、制御部１３１は、マイクロフィルター１１４の使用可能な期間の残余が所定の値以下であるかどうかを判断することができる。
【０１４５】
圧損値と規定圧損値とを比較することによって、圧損が規定圧損値になるまでの間にマイクロフィルター１１４が濾過することのできる水量の残量が求められる。マイクロフィルター１１４が濾過することのできる水量の残量が多ければ多いほど、マイクロフィルター１１４の使用可能な期間の残余が大きい。そこで、マイクロフィルター１１４が濾過することのできる水量の残量が所定の値以下であれば、すなわち、圧損が規定圧損値以上であれば、マイクロフィルター１１４の使用可能な期間の残余が所定の値以下であると判断することができる。
【０１４６】
ステップＳ３０６では、制御部１３１は、圧損値が規定圧損値を超えたかどうかを判断する。圧損が規定圧損値を超えていれば、ステップＳ１０７に進む。圧損が規定圧損値を超えていなければ、ステップＳ３０３に戻る。例えば、規定圧損値が１０ｐｓｉであり、圧損が１ｐｓｉである場合には、制御部１３１は、圧損が規定圧損値を超えていないと判断してステップＳ３０３に戻る。
【０１４７】
ステップＳ１０７からステップＳ１１０は、図４に示す自動洗浄行程と同様である。
【０１４８】
ステップＳ３１１では、制御部１３１は、規定圧損値を手動洗浄用の値に設定する。手動洗浄用の値は、例えば、マイクロフィルター１１４によって原水を濾過することができなくなる圧損の値が１２．５ｐｓｉである場合には、１２．５ｐｓｉに設定される。
【０１４９】
手動洗浄モードが選択されている場合には、制御部１３１は、圧損が１２．５ｐｓｉ以上になったときに、例えば報知部（図示しない）を制御して、使用者にイオン交換樹脂１１３の再生とマイクロフィルター１１４の洗浄が必要であることを報知することができる。
【０１５０】
また、浄水器１が、差圧センサ１２２の代わりに、マイクロフィルター１１４の原水側の水圧を検知する水圧検知部を備える場合には、水圧検知部によって検知される水圧が規定の水圧以上であれば、マイクロフィルター１１４の使用可能な期間の残余が所定の値以上であると判断することができる。
【０１５１】
以上のように、浄水器１は、マイクロフィルター１１４の原水側の水圧、または、マイクロフィルター１１４の原水側の水圧と濾過水側の水圧との差圧を検知する差圧センサ１２２を備える。制御部１３１は、差圧センサ１２２によって検知される圧力または差圧に基づいて、マイクロフィルター１１４の使用可能な期間の残余が所定の値以下であるかどうかを判断するように構成されている。
【０１５２】
このようにすることにより、マイクロフィルター１１４の使用可能な期間の残余が所定の値以下であるかどうかを簡単に判断することができる。
【０１５３】
次に、浄水器１の自動洗浄行程の別の例について説明する。
【０１５４】
図７に示す自動洗浄行程では、図６に示す自動洗浄行程と同様に、ステップＳ１０１からステップＳ３０４が行われる。しかし、図７に示す自動洗浄行程では、図６に示す自動洗浄行程とは異なり、ステップＳ３０４からステップＳ３０５に進む代わりに、ステップＳ３０４からステップＳ４０１に進む。
【０１５５】
ステップＳ４０１では、制御部１３１は、記憶部１３３と計時部１３４と制御信号の送受信を行い、圧損値の１日当たりの平均値を求める。その後、ステップＳ３０５に進む。
【０１５６】
ステップＳ３０５では、制御部１３１は、圧損値と規定圧損値とを比較する。その後、ステップＳ４０２に進む。
【０１５７】
ステップＳ４０２では、制御部１３１は、ステップＳ４０１で求められた圧損値の１日当たりの平均値と、ステップＳ３０５で比較された圧損値と規定圧損値との差とに基づいて、規定圧損値に達するまでの予定日数を算出する。その後、ステップＳ４０３に進む。規定圧損値に達するまでの予定日数は、マイクロフィルター１１４の使用可能な期間の残余である。
【０１５８】
ステップＳ４０３では、制御部１３１は、ステップＳ４０２で算出された予定日数が、所定の日数よりも少ないかどうかを判断する。所定の日数は、例えば、１日であってもよい。その後、ステップＳ１０７に進む。
【０１５９】
ステップＳ１０７からステップＳ１１０とステップＳ３１１は、図６に示す自動洗浄行程と同様である。
【０１６０】
以上のように、浄水器１においては、制御部１３１は、差圧センサ１２２によって検知される圧力または差圧と、差圧センサ１２２によって検知される水圧または差圧の１日当たりの平均値とに基づいて、マイクロフィルター１１４の使用可能な期間の残余を算出するように構成されている。
【０１６１】
このようにすることにより、マイクロフィルター１１４の使用可能な期間の残余を簡単に算出することができる。
【０１６２】
次に、浄水器１の自動洗浄行程の別の例について説明する。この自動洗浄行程では、制御部１３１は、濁度センサ１２３によって検知される濁度に基づいて、マイクロフィルター１１４の使用可能な期間の残余が所定の値以下であるかどうかを判断する。
【０１６３】
図８に示す自動洗浄行程では、図４に示す自動洗浄行程と同様に、ステップＳ１０１が行われる。ステップＳ１０１では、制御部１３１は、自動洗浄モードが選択されているかどうかを判断する。自動洗浄モードが選択されていれば、図４に示す自動洗浄行程とは異なり、ステップＳ５０２に進む。自動洗浄モードが選択されていなければ、図４に示す自動洗浄行程とは異なり、ステップＳ５１１に進む。
【０１６４】
ステップＳ５０２では、制御部１３１は記憶部１３３と信号の送受信を行い、規定濁度値を自動洗浄用の値に設定する。自動洗浄用の規定濁度値は、例えば、マイクロフィルター１１４によって濾過された水を浄水として使用することができなくなる濁度の値が２．５ＮＴＵである場合には、２．５ＮＴＵの８０％にあたる２ＮＴＵに設定される。その後、ステップＳ５０３に進む。
【０１６５】
ステップＳ５０３では、濁度センサ１２３が、マイクロフィルター１１４の濾過水側の水の濁度を検知して制御部１３１が含まれるマイクロコンピュータ１３０に信号を送信する。その後、ステップＳ５０４に進む。
【０１６６】
ステップＳ５０４では、制御部１３１は、ステップＳ５０３で検知された濁度に基づいて、マイクロフィルター１１４の濾過水側の水の濁度を算出する。その後、ステップＳ５０５に進む。
【０１６７】
ステップＳ５０５では、制御部１３１は、濁度と規定濁度値とを比較する。濁度と規定濁度値とを比較することによって、制御部１３１は、マイクロフィルター１１４の使用可能な期間の残余が所定の値以下であるかどうかを判断することができる。
【０１６８】
濁度と規定濁度値とを比較することによって、濁度が規定濁度値になるまでの間にマイクロフィルター１１４が濾過することのできる水量の残量が求められる。マイクロフィルター１１４が濾過することのできる水量の残量が多ければ多いほど、マイクロフィルター１１４の使用可能な期間の残余が大きい。そこで、マイクロフィルター１１４が濾過することのできる水量の残量が所定の値以下であれば、すなわち、積算流量が規定流量値以上であれば、マイクロフィルター１１４の使用可能な期間の残余が所定の値以下であると判断することができる。
【０１６９】
ステップＳ５０６では、制御部１３１は、濁度が規定濁度値を超えたかどうかを判断する。濁度が規定濁度値を超えていれば、ステップＳ１０７に進む。濁度が規定濁度値を超えていなければ、ステップＳ５０３に戻る。例えば、規定濁度値が２ＮＴＵであり、濁度が１ＮＴＵである場合には、制御部１３１は、濁度が規定濁度値を超えていないと判断してステップＳ５０３に戻る。
【０１７０】
ステップＳ１０７からステップＳ１１０は、図４に示す自動洗浄行程と同様である。
【０１７１】
ステップＳ５１１では、制御部１３１は、規定濁度値を手動洗浄用の値に設定する。手動洗浄用の値は、例えば、マイクロフィルター１１４によって濾過された水を浄水として使用することができなくなる濁度の値が２．５ＮＴＵである場合には、２．５ＮＴＵに設定される。
【０１７２】
手動洗浄モードが選択されている場合には、制御部１３１は、濁度の値が２．５ＮＴＵ以上になったときに、例えば報知部（図示しない）を制御して、使用者にイオン交換樹脂１１３の再生とマイクロフィルター１１４の洗浄が必要であることを報知することができる。
【０１７３】
以上のように、浄水器１は、マイクロフィルター１１４の濾過水の濁度を検知する濁度センサ１２３を備える。制御部１３１は、濁度センサ１２３によって検知される濁度に基づいて、マイクロフィルター１１４の使用可能な期間の残余が所定の値以下であるかどうかを判断するように構成されている。
【０１７４】
このようにすることにより、マイクロフィルター１１４の使用可能な期間の残余が所定の値以下であるかどうかを簡単に判断することができる。
【０１７５】
次に、浄水器１の自動洗浄行程の別の例について説明する。
【０１７６】
図９に示す自動洗浄行程では、図８に示す自動洗浄行程と同様に、ステップＳ１０１からステップＳ５０４が行われる。しかし、図９に示す自動洗浄行程では、図８に示す自動洗浄行程とは異なり、ステップＳ５０４からステップＳ５０５に進む代わりに、ステップＳ５０４からステップＳ６０１に進む。
【０１７７】
ステップＳ６０１では、制御部１３１は、記憶部１３３と計時部１３４と制御信号の送受信を行い、濁度の１日当たりの平均値を求める。その後、ステップＳ５０５に進む。
【０１７８】
ステップＳ５０５では、制御部１３１は、濁度と規定濁度値とを比較する。その後、ステップＳ６０２に進む。
【０１７９】
ステップＳ６０２では、制御部１３１は、ステップＳ６０１で求められた濁度の１日当たりの平均値と、ステップＳ５０５で比較された濁度と規定濁度値との差とに基づいて、規定濁度値に達するまでの予定日数を算出する。その後、ステップＳ６０３に進む。規定濁度値に達するまでの予定日数は、マイクロフィルター１１４の使用可能な期間の残余である。
【０１８０】
ステップＳ６０３では、制御部１３１は、ステップＳ６０２で算出された予定日数が、所定の日数よりも少ないかどうかを判断する。所定の日数は、例えば、１日であってもよい。その後、ステップＳ１０７に進む。
【０１８１】
ステップＳ１０７からステップＳ１１０とステップＳ５１１は、図８に示す自動洗浄行程と同様である。
【０１８２】
以上のように、浄水器１においては、制御部１３１は、濁度センサ１２３によって検知される濁度と、濁度センサ１２３によって検知される濁度の１日当たりの平均値とに基づいて、マイクロフィルター１１４の使用可能な期間の残余を算出するように構成されている。
【０１８３】
このようにすることにより、マイクロフィルター１１４の使用可能な期間の残余を簡単に算出することができる。
【０１８４】
（第２実施形態）
図１０に示すように、第２実施形態の浄水器２は、第１実施形態の浄水器１の光／照度センサ１２４の代わりに、時計部として（電波）時計１２５を備える。（電波）時計１２５は、時刻を検知して、マイクロコンピュータ１３０の読み込み部１３２に信号を送信する。第２実施形態の浄水器２のその他の構成は、第１実施形態の浄水器１と同様である。
【０１８５】
以上のように構成される浄水器２の自動洗浄行程について説明する。
【０１８６】
図１１に示すように、浄水器２の自動洗浄行程では、ステップＳ１０１からステップＳ１０６まで、図４に示す浄水器１の自動洗浄行程と同様に行われる。
【０１８７】
ステップＳ１０６では、制御部１３１は、積算流量が規定流量値を超えたかどうかを判断する。積算流量が規定流量値を超えていれば、図４に示す自動洗浄行程とは異なり、ステップＳ７０７に進む。積算流量が規定流量値を超えていなければ、ステップＳ１０３に戻る。例えば、規定流量値が２０００Ｌであり、積算流量が１０００Ｌである場合には、制御部１３１は、積算流量が規定流量値を超えていないと判断してステップＳ１０３に戻る。
【０１８８】
ステップＳ７０７では、（電波）時計１２５が時刻を検知して制御部１３１が含まれるマイクロコンピュータ１３０に信号を送信する。その後、ステップＳ７０８に進む。
【０１８９】
ステップＳ７０８では、制御部１３１は、（電波）時計１２５から受信した信号に基づいて、（電波）時計１２５によって検知された時刻が、所定の時刻よりも遅いかどうかを判断する。（電波）時計１２５によって検知された時刻が所定の時刻よりも遅ければ、ステップＳ１０９に進む。（電波）時計１２５によって検知された時刻が所定の時刻よりも遅くなければ、ステップＳ１０３に戻る。ただし、ステップＳ１０３とステップＳ１０４とステップＳ１０５とステップＳ１０６とは、省略されてもよい。
【０１９０】
ステップＳ１０９からステップＳ１１１は、図４に示す第１実施形態の自動洗浄行程と同様に行われる。
【０１９１】
（電波）時計１２５によって検知された時刻が所定の時刻よりも遅ければ、夜間であると判断される。このように、浄水器２の自動洗浄モードでは、使用者が浄水器２を使用する可能性が低い夜間に、第１実施形態と同様のマイクロフィルター１１４の洗浄行程とイオン交換樹脂再生行程とが行われる。
【０１９２】
以上のように、第２実施形態の浄水器２は、時刻を検知する（電波）時計１２５を備える。制御部１３１は、（電波）時計１２５によって検知される時刻が所定の範囲内である場合に、当該浄水器２が使用されない時間帯であると判断するように構成されている。
【０１９３】
このようにすることにより、夜間であること、すなわち、浄水器２が使用されない時間帯であることを容易に判断することができる。
【０１９４】
次に、浄水器２の自動洗浄行程の別の例について説明する。
【０１９５】
図１２に示す自動洗浄行程では、図６に示す自動洗浄行程と同様に、ステップＳ１０１からステップＳ３０６が行われる。
【０１９６】
ステップＳ３０６では、制御部１３１は、圧損値が規定圧損値を超えたかどうかを判断する。圧損が規定圧損値を超えていれば、図６に示す自動洗浄行程とは異なり、ステップＳ７０７に進む。圧損が規定圧損値を超えていなければ、ステップＳ３０３に戻る。例えば、規定圧損値が１０ｐｓｉであり、圧損が１ｐｓｉである場合には、制御部１３１は、圧損が規定圧損値を超えていないと判断してステップＳ３０３に戻る。
【０１９７】
ステップＳ７０７からステップＳ１１０は、図１１に示す自動洗浄行程と同様である。また、ステップＳ３１１は、図６に示す自動洗浄行程と同様である。
【０１９８】
次に、浄水器２の自動洗浄行程の別の例について説明する。
【０１９９】
図１３に示す自動洗浄行程では、図８に示す自動洗浄行程と同様に、ステップＳ１０１からステップＳ５０６が行われる。
【０２００】
ステップＳ５０６では、制御部１３１は、濁度が規定濁度値を超えたかどうかを判断する。濁度が規定濁度値を超えていれば、ステップＳ７０７に進む。濁度が規定濁度値を超えていなければ、ステップＳ５０３に戻る。例えば、規定濁度値が２ＮＴＵであり、濁度が１ＮＴＵである場合には、制御部１３１は、濁度が規定濁度値を超えていないと判断してステップＳ５０３に戻る。
【０２０１】
ステップＳ７０７からステップＳ１１０は、図１２に示す自動洗浄行程と同様である。また、ステップＳ５１１は、図８に示す自動洗浄行程と同様である。
【０２０２】
第２実施形態の浄水器２のその他の構成と効果は、第１実施形態と同様である。
（第３実施形態）
図１４に示すように、第３実施形態の浄水器３は、第１実施形態の浄水器１の光／照度センサ１２４の代わりに、温度検知部として温度センサ１２６を備える。温度センサ１２６は、浄水器３の周囲の温度を検知して、マイクロコンピュータ１３０の読み込み部１３２に信号を送信する。第３実施形態の浄水器３のその他の構成は、第１実施形態の浄水器１と同様である。
【０２０３】
以上のように構成される浄水器３の自動洗浄行程について説明する。
【０２０４】
図１５に示すように、浄水器３の自動洗浄行程では、ステップＳ１０１からステップＳ１０６まで、図４に示す浄水器１の自動洗浄行程と同様に行われる。
【０２０５】
ステップＳ１０６では、制御部１３１は、積算流量が規定流量値を超えたかどうかを判断する。積算流量が規定流量値を超えていれば、図４に示す自動洗浄行程とは異なり、ステップＳ８０７に進む。積算流量が規定流量値を超えていなければ、ステップＳ１０３に戻る。例えば、規定流量値が２０００Ｌであり、積算流量が１０００Ｌである場合には、制御部１３１は、積算流量が規定流量値を超えていないと判断してステップＳ１０３に戻る。ただし、ステップＳ１０３とステップＳ１０４とステップＳ１０５とステップＳ１０６とは、省略されてもよい。
【０２０６】
ステップＳ８０７では、温度センサ１２６が温度を検知して制御部１３１が含まれるマイクロコンピュータ１３０に信号を送信する。その後、ステップＳ８０８に進む。
【０２０７】
ステップＳ８０８では、制御部１３１は、温度センサ１２６から受信した信号に基づいて、温度センサ１２６によって検知された温度が、所定の温度よりも低いかどうかを判断する。温度センサ１２６によって検知された温度が所定の温度よりも低ければ、ステップＳ１０９に進む。温度センサ１２６によって検知された温度が所定の温度よりも低くなければ、ステップＳ１０３に戻る。
【０２０８】
ステップＳ１０９からステップＳ１１１は、図４に示す第１実施形態の自動洗浄行程と同様に行われる。
【０２０９】
温度センサ１２６によって検知された温度が所定の温度よりも低ければ、夜間であると判断される。このように、浄水器３の自動洗浄モードでは、使用者が浄水器３を使用する可能性が低い夜間に、第１実施形態と同様のマイクロフィルター１１４の洗浄行程とイオン交換樹脂再生行程とが行われる。
【０２１０】
以上のように、第３実施形態の浄水器３は、当該浄水器３の周囲の温度を検知する温度センサ１２６を備える。制御部１３１は、温度センサ１２６によって検知される温度が所定の値よりも小さい場合に、当該浄水器３が使用されない時間帯であると判断するように構成されている。
【０２１１】
このようにすることにより、夜間であること、すなわち、浄水器３が使用されない時間帯であることを容易に判断することができる。
【０２１２】
次に、浄水器３の自動洗浄行程の別の例について説明する。
【０２１３】
図１６に示す自動洗浄行程では、図６に示す自動洗浄行程と同様に、ステップＳ１０１からステップＳ３０６が行われる。
【０２１４】
ステップＳ３０６では、制御部１３１は、圧損値が規定圧損値を超えたかどうかを判断する。圧損が規定圧損値を超えていれば、図６に示す自動洗浄行程とは異なり、ステップＳ８０７に進む。圧損が規定圧損値を超えていなければ、ステップＳ３０３に戻る。例えば、規定圧損値が１０ｐｓｉであり、圧損が１ｐｓｉである場合には、制御部１３１は、圧損が規定圧損値を超えていないと判断してステップＳ３０３に戻る。
【０２１５】
ステップＳ８０７からステップＳ１１０は、図１５に示す自動洗浄行程と同様である。また、ステップＳ３１１は、図６に示す自動洗浄行程と同様である。
【０２１６】
次に、浄水器３の自動洗浄行程の別の例について説明する。
【０２１７】
図１７に示す自動洗浄行程では、図８に示す自動洗浄行程と同様に、ステップＳ１０１からステップＳ５０６が行われる。
【０２１８】
ステップＳ５０６では、制御部１３１は、濁度が規定濁度値を超えたかどうかを判断する。濁度が規定濁度値を超えていれば、ステップＳ８０７に進む。濁度が規定濁度値を超えていなければ、ステップＳ５０３に戻る。例えば、規定濁度値が２ＮＴＵであり、濁度が１ＮＴＵである場合には、制御部１３１は、濁度が規定濁度値を超えていないと判断してステップＳ５０３に戻る。
【０２１９】
ステップＳ８０７からステップＳ１１０は、図１５に示す自動洗浄行程と同様である。また、ステップＳ５１１は、図８に示す自動洗浄行程と同様である。
【０２２０】
第３実施形態の浄水器３のその他の構成と効果は、第１実施形態と同様である。
（第４実施形態）
図１８に示すように、第４実施形態の浄水器４は、第１実施形態の浄水器１の光／照度センサ１２４の代わりに、人検知部としてカメラ／赤外線センサ１２７を備える。カメラ／赤外線センサ１２７は、浄水器４の周囲の映像または赤外線を検知して、マイクロコンピュータ１３０の読み込み部１３２に信号を送信する。制御部１３１は、読み込み部１３２に送信された信号に基づいて、カメラ／赤外線センサ１２７によって人が検知されていないかどうかを判断する。例えば、赤外線が検知されることによって、浄水器４の周囲に人がいると判断される。また、人の映像が撮影されることによって、浄水器４の周囲に人がいると判断される。第４実施形態の浄水器４のその他の構成は、第１実施形態の浄水器１と同様である。
【０２２１】
以上のように構成される浄水器４の自動洗浄行程について説明する。
【０２２２】
図１９に示すように、浄水器４の自動洗浄行程では、ステップＳ１０１からステップＳ１０６まで、図４に示す浄水器１の自動洗浄行程と同様に行われる。
【０２２３】
ステップＳ１０６では、制御部１３１は、積算流量が規定流量値を超えたかどうかを判断する。積算流量が規定流量値を超えていれば、図４に示す自動洗浄行程とは異なり、ステップＳ９０７に進む。積算流量が規定流量値を超えていなければ、ステップＳ１０３に戻る。例えば、規定流量値が２０００Ｌであり、積算流量が１０００Ｌである場合には、制御部１３１は、積算流量が規定流量値を超えていないと判断してステップＳ１０３に戻る。ただし、ステップＳ１０３とステップＳ１０４とステップＳ１０５とステップＳ１０６とは、省略されてもよい。
【０２２４】
ステップＳ９０７では、カメラ／赤外線センサ１２７が人または赤外線を検知して制御部１３１に信号を送信する。その後、ステップＳ９０８に進む。
【０２２５】
ステップＳ９０８では、制御部１３１は、カメラ／赤外線センサ１２７から受信した信号に基づいて、カメラ／赤外線センサ１２７によって人が検知されていないかどうかを判断する。カメラ／赤外線センサ１２７によって人が検知されていなければ、ステップＳ１０９に進む。カメラ／赤外線センサ１２７によって人が検知されていれば、ステップＳ１０３に戻る。
【０２２６】
ステップＳ１０９からステップＳ１１１は、図４に示す第１実施形態の自動洗浄行程と同様に行われる。
【０２２７】
カメラ／赤外線センサ１２７によって人が検知されていなければ、夜間または留守中であると判断される。このように、浄水器４の自動洗浄モードでは、使用者が浄水器４を使用する可能性が低い夜間や留守中に、第１実施形態と同様のマイクロフィルター１１４の洗浄行程とイオン交換樹脂再生行程とが行われる。
【０２２８】
以上のように、第４実施形態の浄水器４は、当該浄水器４の周囲の人を検知するカメラ／赤外線センサ１２７を備える。制御部１３１は、カメラ／赤外線センサ１２７によって人が検知されない場合に、当該浄水器４が使用されない時間帯であると判断するように構成されている。
【０２２９】
浄水器４が使用されない時間帯は、例えば、夜間や、使用者が留守中であると考えられる。そこで、このようにすることにより、留守中であること、すなわち、浄水器４が使用されない時間帯であることを容易に判断することができる。
【０２３０】
次に、浄水器４の自動洗浄行程の別の例について説明する。
【０２３１】
図２０に示す自動洗浄行程では、図６に示す自動洗浄行程と同様に、ステップＳ１０１からステップＳ３０６が行われる。
【０２３２】
ステップＳ３０６では、制御部１３１は、圧損値が規定圧損値を超えたかどうかを判断する。圧損が規定圧損値を超えていれば、図６に示す自動洗浄行程とは異なり、ステップＳ９０７に進む。圧損が規定圧損値を超えていなければ、ステップＳ３０３に戻る。例えば、規定圧損値が１０ｐｓｉであり、圧損が１ｐｓｉである場合には、制御部１３１は、圧損が規定圧損値を超えていないと判断してステップＳ３０３に戻る。
【０２３３】
ステップＳ９０７からステップＳ１１０は、図１９に示す自動洗浄行程と同様である。また、ステップＳ３１１は、図６に示す自動洗浄行程と同様である。
【０２３４】
次に、浄水器４の自動洗浄行程の別の例について説明する。
【０２３５】
図２１に示す自動洗浄行程では、図８に示す自動洗浄行程と同様に、ステップＳ１０１からステップＳ５０６が行われる。
【０２３６】
ステップＳ５０６では、制御部１３１は、濁度が規定濁度値を超えたかどうかを判断する。濁度が規定濁度値を超えていれば、ステップＳ９０７に進む。濁度が規定濁度値を超えていなければ、ステップＳ５０３に戻る。例えば、規定濁度値が２ＮＴＵであり、濁度が１ＮＴＵである場合には、制御部１３１は、濁度が規定濁度値を超えていないと判断してステップＳ５０３に戻る。
【０２３７】
ステップＳ９０７からステップＳ１１０は、図１９に示す自動洗浄行程と同様である。また、ステップＳ５１１は、図８に示す自動洗浄行程と同様である。
【０２３８】
第４実施形態の浄水器４のその他の構成と効果は、第１実施形態と同様である。
【０２３９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０２４０】
１，２，３，４：浄水器、１０１：主通水路、１０２：第１副通水路、１０３：第２副通水路、１１３：イオン交換樹脂、１１４：マイクロフィルター、１２１：流量センサ、１２２：差圧センサ、１２３：濁度センサ、１２４：光／照度センサ、１２５：（電波）時計、１２６：温度センサ、１２７：カメラ／赤外線センサ、１３１：制御部、１５０：ポンプ、２０１：電磁弁Ａ、２０３：電磁弁Ｃ、２０５：電磁弁Ｅ、２０６：電磁弁Ｆ、２１０：電磁弁Ｊ、３０１：洗浄専用タンク、３２０：循環通水路、３３０：送水部、３３１：再生送水部。
【図１】
2011224467.tif 000003
【図２】
2011224467.tif 000004
【図３】
2011224467.tif 000005
【図４】
2011224467.tif 000006
【図５】
2011224467.tif 000007
【図６】
2011224467.tif 000008
【図７】
2011224467.tif 000009
【図８】
2011224467.tif 000010
【図９】
2011224467.tif 000011
【図１０】
2011224467.tif 000012
【図１１】
2011224467.tif 000013
【図１２】
2011224467.tif 000014
【図１３】
2011224467.tif 000015
【図１４】
2011224467.tif 000016
【図１５】
2011224467.tif 000017
【図１６】
2011224467.tif 000018
【図１７】
2011224467.tif 000019
【図１８】
2011224467.tif 000020
【図１９】
2011224467.tif 000021
【図２０】
2011224467.tif 000022
【図２１】
2011224467.tif 000023